【事件の表示】
　特願２０１９−　７８４６７「モバイル監視装置、制御方法、及びプログラム」拒絶査定不服審判事件〔令和　１年　９月２６日出願公開、特開２０１９−１６４８０２、請求項の数（１５）〕について、次のとおり審決する。
【結　論】
　原査定を取り消す。
　本願の発明は、特許すべきものとする。
【理　由】
第１　手続の経緯
　本願は、２０１５年（平成２７年）３月２７日を国際出願日とする出願である特願２０１７−５０８８６０号の一部を、平成２９年１０月１９日に新たな出願とした特願２０１７−２０２４８０号の一部を、平成３１年４月１７日に新たな出願としたものであって、令和２年２月３日付けで拒絶理由通知がされ、令和２年３月３０日に意見書が提出され、令和２年９月２９日付けで拒絶査定（原査定）がされ、これに対し、令和３年１月４日に拒絶査定不服審判の請求がされたものである。
第２　原査定の概要
　原査定（令和２年９月２９日付け拒絶査定）の概要は次のとおりである。
　本願請求項１、３、６、８、１１及び１３に係る発明は、以下の引用文献１及び２に記載された発明に基いて、また、本願請求項２、４、５、７、９、１０、１２、１４及び１５に係る発明は、以下の引用文献１ないし３に記載された発明に基いて、その発明の属する技術の分野における通常の知識を有する者（以下、「当業者」という。）が容易に発明をすることができたものであるから、特許法第２９条第２項の規定により特許を受けることができない。
　引用文献１：米国特許出願公開第２０１１／０２８５８４６号明細書
　引用文献２：特開２０１４−００６６７１号公報
　引用文献３：特開２００３−０９１３７０号公報（周知技術を示す文献）
第３　本願発明
　本願請求項１ないし１５に係る発明（以下、それぞれ「本願発明１」ないし「本願発明１５」という。）は、本願の特許請求の範囲の請求項１ないし１５に記載された事項により特定される発明であり、このうち、本願発明１は、以下のとおりの発明である。
「　監視画像を表示するタッチパネルディスプレイを有し、
　前記タッチパネルディスプレイ上において所定のタッチ操作が行われた場合に、前記タッチパネルディスプレイに対するスライド操作に応じて、前記監視画像における所定のイベントを検出する領域を設定する第１の処理を実行し、
　前記タッチパネルディスプレイ上において所定のタッチ操作が行われていない場合に、前記スライド操作に応じて、前記監視画像の表示範囲を変更する第２の処理を実行する、モバイル監視装置。」
　なお、本願発明２ないし１５の概要は以下のとおりである。
　本願発明２ないし５は、本願発明１を減縮した発明である。
　本願発明６ないし１０は、それぞれ本願発明１ないし５に対応する方法の発明であり、また、本願発明１１ないし１５は、それぞれ本願発明１ないし５に対応するプログラムの発明であり、これらはいずれも本願発明１ないし５とカテゴリ表現が異なるだけの発明である。
第４　引用文献、引用発明等
１　引用文献１について
（１）引用文献１記載事項
　原査定の拒絶の理由に引用された上記引用文献１には、図面とともに次の事項が記載されている。なお、下線は、強調のため当審が付与した。（以降についても同様。）
「[0002] Embodiments of the present disclosure relate to security surveillance technology, and particularly to 
an electronic device
for monitoring a specified area
［当審訳］
「[0002]　本開示の実施形態は、セキュリティ監視技術に関し、特に、電子装置を用いて
指定された領域を監視するための電子装置
「[0017] FIG.1 is a schematic diagram of one embodiment of a system 2 for monitoring a specified area using an electronic device 12. In one embodiment, the system 2 includes the electronic device 12, a host computer 16, and a number of image capturing devices 21, 22, and 23. The host computer 16 is connected to the electronic device 12 and the image capturing devices 21, 22, and 23 through a network 14. In one embodiment, the network 14 may be an intranet, the Internet or other suitable communication network. The image capturing devices 21, 22, and 23 may be speed dome cameras or pan/tilt/zoom (PTZ) cameras, for example. It is may be understood that more than three image capturing devices can be used in other embodiments.
[0018] In one embodiment, the host computer 16 may include a detection system 160 and a storage device 162. The detection system 160 may be used to determine a detection region and a detection mode of an image capturing device (e.g., the image capturing device 21) according to information sent from the electronic device 12, detect a missed object or a leaving object in a specified monitored area according to the detection region and the detection mode, and send a detection result to the electronic device 12. Detailed descriptions will be given in the following paragraphs.
[0019] In one embodiment, the detection mode may include a missed object detection mode and a leaving object detection mode, 
the detection region is an area of a captured image of the image capturing device used to detect the missed object or the leaving object
[0020] FIG.2 is a block diagram of one embodiment of the electronic device 12. In one embodiment, 
the electronic device 12 may include a setting module 121, a selection module 122, a display module 123, a storage device 124, a display screen 125, and at least one processor 126
[0021] In one embodiment, 
the display screen 125 may be
a touch-sensitive display
The electronic device 21 may be a mobile phone, a personal digital assistant (PDA) or other suitable communication device
［当審訳］
「[0017]　図1は、電子装置12を用いて指定された領域を監視するためのシステム2の一実施形態の概略図である。一実施形態では、システム2は、電子デバイス12、ホストコンピュータ16、並びに複数の撮像装置21、22及び23を含む。ホストコンピュータ16は、ネットワーク14を介して電子装置12と撮像装置21、22、23に接続されている。一実施形態では、ネットワーク14は、イントラネット、インターネット、または他の適切な通信ネットワークとすることができる。撮像装置21、22及び23は、スピードドームカメラ又はパン／チルト／ズーム（PTZ)カメラであってもよい。他の実施形態において使用することができる3以上の画像撮像装置と理解することができる。
[0018]　一実施形態では、ホストコンピュータ16は、検出システム160および記憶装置162を含むことができる。検出システム160は、検出領域と、電子装置12から送信された情報に応じて、撮像装置（例えば、撮像装置21）の検出モードを判断した後、対象領域または検出領域及び検出モードに応じて、指定された監視領域で物体を検出し、検出結果を電子装置12に送信するために使用される詳細な説明は、以下の段落で説明する。
[0019]　一実施形態において、検出モードは、消失物検出モードと持込物検出モードを含み、この
検出領域は、消失物又は持込物を検出するために使用する撮像装置により撮像された画像の領域である
[0020]　図2は、電子装置12の一実施形態のブロック図である。一実施形態において、
電子装置12は、設定モジュール121、選択モジュール122、表示モジュール123、記憶装置124、表示画面125、及び少なくとも1つのプロセッサ126を含む
[0021]　一実施形態では、
表示画面125は、
タッチセンシティブディスプレイであってもよい
電子装置21は、携帯電話、携帯情報端末（PDA）又は他の適当な通信装置であってもよい
「[0023] FIG. 3 is a flowchart of one embodiment of a method for monitoring a specified area using the electronic device 12. Depending on the embodiment, additional blocks may be added, others removed, and the ordering of the blocks may be changed.
[0024] In block Sl, 
the setting module 121 sets a detection region in a captured image of the image capturing device (e.g., the image capturing device 21) on the display screen 125 of the electronic device 11 in response to receiving user operations on the captured image, and sends the detection region to the host computer 16
[0025] In block S2, 
the selection module 122 determines a detection mode of the detection region from the storage device 124 of the electronic device 12 in response to receiving user selections
the detection mode may include the missed object detection mode and the leaving object detection mode
［当審訳］
「[0023]　図3は、電子装置12を用いて指定された領域を監視する方法の一実施形態のフローチャートである。実施形態に応じて、追加のブロックを追加してもよく、他のものを除外し、ブロックの順序を変更してもよい。
[0024]　ステップS1において、
設定モジュール121は、撮像画像上におけるユーザ操作の受信に応答して、電子機器11の表示画面125上で撮像装置（例えば、撮像装置21）の撮像された画像内に検出領域を設定し、検出領域をホストコンピュータ16に送信する
[0025]　ブロックS2では、
選択モジュール122は、ユーザ選択の受信に応答して、電子装置12の記憶装置124に記憶された検出領域の検出モードを決定する
検出モードは、消失物検出モード、持込物検出モードを含む
［当審注］　[0024]の「the electronic device 
11
12
「[0031] FIG.4 is a detailed flowchart of one embodiment of block Si in FIG.3. Depending on the embodiment, additional blocks may be added, others removed, and the ordering of the blocks may be changed.
[0032] In block Sl0, a user logs on a setting interface of the detection system 160 in the host computer 16 using the electronic device 12 through the network 14.
[0033] In block S11, 
the user selects an image capturing device from a number of image capturing devices 21, 22 and 23 on the setting interface of the detection system 160
Then, an image captured by the selected image capturing device is displayed on the display screen 125 of the electronic device 12
[0034] In block S12, 
the user determines a selection mode to a set a detection region in the captured image sent from the host computer 16 (refers to FIG.7C)
the selection mode may include, but are not limited to a single selection mode, a multi-selection mode, an exclusive selection mode, an intersection selection mode, and a reverse selection mode
[0035] In block S13, the detection system 160 of the host computer 16 obtains an image of the detection region captured by the selected image capturing device when the detection region setting is finished, and stores the image of the detection region in the storage device 162 of the host computer 16.」
［当審訳］
「[0031]　図4は、図3の各ブロックSiの一実施例を示す詳細なフローチャートである。実施形態に応じて、追加のブロックを追加してもよく、他のものを除外し、ブロックの順序を変更してもよい。
[0032]　ステップS10では、ユーザは、電子装置12を使用して、ネットワーク14を介して、ホストコンピュータ16の検出システム160の設定インターフェースにログオンする。
[0033]　ステップS11において、
ユーザは、検出システム160の設定用インターフェース上の複数の撮像装置21、22及び23から撮像装置を選択する
そして、選択された撮影装置によって撮影された画像は、電子機器12の表示画面125に表示され
[0034]　ステップS12において、
ユーザは、ホストコンピュータ16から送られる撮影画像中の検出領域を設定する選択モードを決定する（図7（c）参照）
選択モードは、
単数領域選択モード、複数領域選択モード、除外領域選択モード、重複領域選択モード、反対領域選択モードを含む
[0035]　ステップS13では、ホストコンピュータ16の検出システム160は、検出領域の設定が終了すると、選択された撮影装置によって撮影された検出領域の画像を取得し、その検出領域の画像を記憶するホストコンピュータ16の記憶装置162に記憶する。」
「Fig.1
」
［当審訳］省略
「Fig.2
」
［当審訳］省略
「Fig.3
」
［当審訳］省略
「Fig.4
」
［当審訳］省略
「Fig.7A
」
［当審訳］省略
「Fig.7B
」
［当審訳］省略
「Fig.7C
」
［当審訳］省略
「Fig.8
」
［当審訳］省略
「Fig.9
」
［当審訳］省略
「Fig.10
」［当審訳］省略
（２）引用発明
　前記（１）より、上記引用文献１には次の発明（以下、「引用発明」という。）が記載されていると認められる。
「　指定された領域を監視するための電子装置であって、
　検出領域は、消失物又は持込物を検出するために使用する撮像装置により撮像された画像の領域であり、
　電子装置12は、設定モジュール121、選択モジュール122、表示モジュール123、記憶装置124、表示画面125、及び少なくとも1つのプロセッサ126を含み、表示画面125は、タッチセンシティブディスプレイであってもよく、電子装置21は、携帯電話、携帯情報端末（PDA）又は他の適当な通信装置であってもよく、
　設定モジュール121は、撮像画像上におけるユーザ操作の受信に応答して、電子機器12の表示画面125上で撮像装置（例えば、撮像装置21）の撮像された画像内に検出領域を設定し、検出領域をホストコンピュータ16に送信し、
　選択モジュール122は、ユーザ選択の受信に応答して、電子装置12の記憶装置124に記憶された検出領域の検出モードを決定し、検出モードは、消失物検出モード、持込物検出モードを含み、
　ユーザは、検出システム160の設定用インターフェース上の複数の撮像装置21、22及び23から撮像装置を選択し、そして、選択された撮影装置によって撮影された画像は、電子機器12の表示画面125に表示され、
　ユーザは、ホストコンピュータ16から送られる撮影画像中の検出領域を設定する選択モードを決定し（図7（c）参照）、選択モードは、単数領域選択モード、複数領域選択モード、除外領域選択モード、重複領域選択モード、反対領域選択モードを含む、
　電子装置。」
２　引用文献２及び３について
（１）引用文献２について
　原査定の拒絶の理由に引用された上記引用文献２には、図面とともに次の事項が記載されている。
「【００１１】
　
画像表示装置１０は、携帯電話、タブレットＰＣ等に組み込まれる
描画線を描画する描画モードと、画像をスクロールさせるスクロールモードとに設定でき
表示部１２にスクロール可能に地図を表示させて、表示部１２の前面に設けられたタッチパネル１４によってユーザが地図上に描画線を描画する
更に、画像表示装置１０は、描画線の地図上での距離を測定する
【００１２】
　具体的には、図１に示すように、画像表示装置１０は、
表示部１２に表示された描画ボタン５０上のタッチパネル１４にユーザの指５２が接触している場合、描画モードと判定する
描画モードでは、ユーザの指５４によるタッチパネル１４上での接触箇所が矢印５６に示すように移動すると、接触箇所の移動に合わせて、描画線５８を表示部１２に表示されている地図上に重ねて表示させ
【００１３】
　図２に示すように、画像表示装置１０は、
描画ボタン５０上のタッチパネル１４にユーザが接触していない場合、スクロールモードと判定する
スクロールモードでは、描画に用いたユーザの指５４によるタッチパネル１４上での接触箇所が矢印５６に示すように移動すると、接触箇所の軌跡に沿って、描画線５８及び地図を含む画像をスクロールさせる
「【図１】
」
「【図２】
」   
　したがって、上記引用文献２には、以下の発明（以下、「引用発明２」という。）が記載されていると認められる。
「　携帯電話、タブレットＰＣ等に組み込まれる画像表示装置１０であって、
　描画線を描画する描画モードと、画像をスクロールさせるスクロールモードとに設定でき、
　表示部１２にスクロール可能に地図を表示させて、表示部１２の前面に設けられたタッチパネル１４によってユーザが地図上に描画線を描画し、更に、画像表示装置１０は、描画線の地図上での距離を測定し、
　表示部１２に表示された描画ボタン５０上のタッチパネル１４にユーザの指５２が接触している場合、描画モードと判定し、描画モードでは、ユーザの指５４によるタッチパネル１４上での接触箇所が矢印５６に示すように移動すると、接触箇所の移動に合わせて、描画線５８を表示部１２に表示されている地図上に重ねて表示させ、
　描画ボタン５０上のタッチパネル１４にユーザが接触していない場合、スクロールモードと判定し、スクロールモードでは、描画に用いたユーザの指５４によるタッチパネル１４上での接触箇所が矢印５６に示すように移動すると、接触箇所の軌跡に沿って、描画線５８及び地図を含む画像をスクロールさせる、
　画像表示装置１０。」
（２）引用文献３について
　原査定の拒絶の理由に引用された上記引用文献３には、図面とともに次の事項が記載されている。
「【要約】
【課題】
簡易にタッチパネルを清掃できる方法
【解決手段】清掃モード時に表示する
画面上の四隅に、清掃モード切り替えボタンをそれぞれ配置し、通常モードから清掃モードに切り替える際には、ボタン１〜４を所定の順番でタッチされたことの検出に基づき、清掃モードとする。また、清掃完了時の清掃モード解除の際に、そのボタンを予め決められた順番でタッチする事で清掃モードを解除する方法
第５　対比・判断
１　本願発明１について
（１）対比
　本願発明１と引用発明とを対比する。
ア　引用発明の「撮像画像」（及び「撮像された画像」）は、本願発明１の「監視画像」に相当する。
　また、引用発明の「表示画面125」は、「タッチセンシティブディスプレイ」であってもよく、また、「タッチセンシティブディスプレイ」は、「タッチパネルディスプレイ」といい得るものである。
　そして、引用発明において、少なくとも「検出領域」を設定する際には、「表示画面125」上に「撮像された画像」が表示されていることは明らかであるから、引用発明の「タッチセンシティブディスプレイ」は、本願発明１の「監視画像を表示するタッチパネルディスプレイ」に相当する。
イ　引用発明の「検出領域」は、「消失物又は持込物を検出するために使用する撮像装置により撮像された画像の領域」であるから、物が当該画像の領域から消失すること、又は、物が当該画像の領域に持ち込まれることを検出するための画像の領域といえる。
　ここで、物が当該画像の領域から消失すること又は物が当該画像の領域に持ち込まれることは、本願発明１の「前記監視画像における所定のイベント」に相当し、また、「検出領域」は、本願発明１の「前記監視画像における所定のイベントを検出する領域」に相当する。
　引用発明は、「設定モジュール121」が「ユーザ操作」の受信に応答して、「検出領域を設定」するものであるが、引用発明の「ユーザは、ホストコンピュータ16から送られる撮影画像中の検出領域を設定する選択モードを決定し（図7（c）参照）」との構成からすると、「検出領域を設定」するためには、「選択モードを決定」するユーザによる操作を要し、その様子が引用文献１の図7（c）に記載されていると認められる。そして、引用文献１の図7（c）を参酌すれば、ユーザが指を「表示画面125」上で、すなわち、「タッチセンシティブディスプレイ」に対してスライドする操作が見て取れる。
　また、「検出領域を設定」する処理を「第１の処理」と称することは任意である。
　以上より、引用発明において、「検出領域を設定」する処理を実行することと、本願発明１の「
前記タッチパネルディスプレイ上において所定のタッチ操作が行われた場合に、
ウ　引用発明は、「ユーザは、検出システム160の設定用インターフェース上の複数の撮像装置21、22及び23から撮像装置を選択し、そして、選択された撮影装置によって撮影された画像は、電子機器12の表示画面125に表示され」との構成を備えるが、当該構成は、「撮像装置」を選択する処理に関する構成であって、本願発明１の「監視画像の表示範囲を変更する」構成には相当しない。
エ　引用発明の「電子装置12」は、「携帯電話、携帯情報端末（PDA）」である場合を含み、「表示画面125」として「タッチセンシティブディスプレイ」を有し、「検出領域を設定」する処理を実行するものであるため、後述する相違点を除いて、本願発明１の「モバイル監視装置」に相当する。
（２）一致点・相違点
　前記（１）より、本願発明１と引用発明とは、次の点において一致ないし相違する。
［一致点］
「　監視画像を表示するタッチパネルディスプレイを有し、
　前記タッチパネルディスプレイに対するスライド操作に応じて、前記監視画像における所定のイベントを検出する領域を設定する第１の処理を実行する、モバイル監視装置。」
［相違点］
＜相違点１＞
　「第１の処理」は、本願発明１は、「前記タッチパネルディスプレイ上において所定のタッチ操作が行われた場合」になされるのに対して、引用発明において、「検出領域を設定」する処理は、そのような前提となる構成を備えていない点。
＜相違点２＞
　本願発明１は、「前記タッチパネルディスプレイ上において所定のタッチ操作が行われていない場合に、前記スライド操作に応じて、前記監視画像の表示範囲を変更する第２の処理を実行する」との構成を備えるのに対し、引用発明は、当該構成について具体的に特定していない点。
（３）相違点についての判断
　上記相違点１及び相違点２は、いずれも「所定のタッチ操作」及び「スライド操作」という２つの操作に関する事項であるため、まとめて判断する。
　上記相違点１及び相違点２に係る本願発明１は、要するに、「所定のタッチ操作」の有無に応じて、「スライド操作」に応じた処理として、「前記監視画像における所定のイベントを検出する領域を設定する第１の処理」と、「前記監視画像の表示範囲を変更する第２の処理」とを切り替えるという構成を備えているといえる。
　引用発明２にあるように、携帯電話、タブレットＰＣ等に組み込まれる画像処理装置において、描画ボタン５０への接触の有無に応じて、タッチパネル１４上での指の移動に応じた処理として、描画線５８を描画する処理と、画像をスクロールする処理とを切り替えることは、本願出願時の公知技術であるといえる。
　しかしながら、引用発明は、撮像画像を表示して、その検出領域において消失物又は持込物を検出するものであるのに対し、引用発明２は、地図上に描画線を描画し、描画線の地図上での距離を測定するものであるから、引用発明と引用発明２とは、技術分野が異なるため、引用発明に引用発明２の技術的事項を適用する動機付けが存在しない。
　仮に、引用発明に引用発明２を適用し得るとした場合、引用発明において、描画ボタンを表示するようにすると共に、当該描画ボタンへの接触の有無に応じて、タッチセンシティブディスプレイ上での指の移動に応じて、撮像画像上に線を描画する処理と、撮像画像をスクロールする処理とを切り替える構成にはなるが、上記相違点１及び相違点２に係る本願発明１の構成には至らない。
　なお、本願発明１の構成に至るためには、引用発明に、引用発明２における画像をスクロールする処理を付加した上で、引用発明における検出領域を設定する処理と、付加した上記画像をスクロールする処理とを、切り替えの対象に設定し、この切り替えのための手段として、引用発明２における所定のタッチ操作を適用するという複数の手順を要するが、これら手順を当業者が容易に想到し得たという合理的な理由がない。
　加えて、引用文献３にも、上記相違点１及び２に係る本願発明１の構成は記載されていない。
　したがって、本願発明１は、当業者であっても、引用文献１ないし３に記載された発明に基いて容易に発明をすることができたものとはいえない。
２　本願発明２ないし５について
　本願発明２ないし５は、本願発明１と同一の構成を備えるものであるから、本願発明１と同じ理由により、当業者であっても、引用文献１ないし３に記載された発明に基いて容易に発明をすることができたものとはいえない。
３　本願発明６ないし１５について
　本願発明６ないし１０は、それぞれ本願発明１ないし５に対応する方法の発明であり、また、本願発明１１ないし１５は、それぞれ本願発明１ないし５に対応するプログラムの発明であり、これらはいずれも本願発明１ないし５とカテゴリ表現が異なるだけの発明である。よって、本願発明６ないし１５は、本願発明１の構成に対応する構成を備えるものであるから、本願発明１と同様の理由により、当業者であっても、引用文献１ないし３に記載された発明に基いて容易に発明をすることができたものとはいえない。
第６　むすび
　以上のとおり、本願発明１ないし１５は、当業者が引用文献１ないし３に記載された発明に基いて容易に発明をすることができたものではない。
　したがって、原査定の理由によっては、本願を拒絶することはできない。
　また、他に本願を拒絶すべき理由を発見しない。
　よって、結論のとおり審決する。